(57)【要約】【課題】  駆動装置の駆動により押弦部材を弦に当接させて弦の振動端点を形成することによって、自動演奏が可能になる小型の弦楽器の押弦構造を提供すること。【解決手段】  押弦構造１０を、指板１２の表面側から進退して弦１３に当接し弦１３の振動端点を形成する押弦部材２３と、指板１２の裏面に設けられたソレノイド２１と、ソレノイド２１の駆動力を押弦部材２３に伝達する駆動レバー２２とで構成した。また、押弦部材２３を１本の弦１３の異なる二つの位置にそれぞれ当接する一対の部材で構成するとともに、ソレノイド２１を相対向する２方向へそれぞれ出力軸２１ｂを変位させる装置で構成し、駆動レバー２２をソレノイド２１の駆動力を一対の押弦部材２３にそれぞれ伝達する一対の部材で構成した。さらに、押弦部材２３を進退可能に収容するガイド部２４を指板１２の裏面側に設けた。【選択図】  図３Ａ
2009031494.tif 000002
【特許請求の範囲】
【請求項１】
弦楽器の指板表面側に張設された少なくとも一つの弦を押弦する弦楽器の押弦構造において、
前記楽器の指板表面側から前記弦に対してそれぞれ進退して前記弦の複数の異なる位置に当接し、前記弦の複数の振動端点を形成する複数の押弦部材と、
前記指板の裏面に設けられ、前記複数の押弦部材を前記弦に対して進退させる駆動機構とを備えたことを特徴とする弦楽器の押弦構造。
【請求項２】
前記駆動機構を、相対向する２方向へそれぞれ変位部を変位させる複数の駆動装置と、前記変位部の相対向する２方向への変位を同一の弦の異なる二つの位置に当接する押弦部材にそれぞれ伝達する複数の伝達部材とで構成した請求項１に記載の弦楽器の押弦構造。
【請求項３】
弦楽器の指板表面側に張設された少なくとも一つの弦を押弦する弦楽器の押弦構造において、
同一の弦の異なる二つの位置にそれぞれ当接することによって前記弦の二つの振動端点を形成する一対の押弦部材と、
変位部を相対向する２方向へそれぞれ変位させる駆動装置と、
前記変位部の相対向する２方向への変位を前記一対の押弦部材にそれぞれ伝達し、前記一対の押弦部材をそれぞれ独立して前記弦に当接させる一対の伝達部材と
を備えたことを特徴とする弦楽器の押弦構造。
【請求項４】
前記押弦部材を進退可能に収容するガイド部を前記指板の裏面側に設けた請求項１ないし３のうちのいずれか一つに記載の弦楽器の押弦構造。
【請求項５】
前記ガイド部を円筒体で構成して、前記押弦部材における前記弦に当接する部分に前記弦を挟む複数の突部を設けるとともに、前記ガイド部の内周面と前記押弦部材の外周面との間に、前記押弦部材がガイド部の軸方向に移動する際に、前記押弦部材を前記ガイド部に対して軸周りに回転させる回転移動機構を形成した請求項４に記載の弦楽器の押弦構造。
【発明の詳細な説明】
【技術分野】
【０００１】
本発明は、弦楽器の指板表面側に張設された弦を押弦する弦楽器の押弦構造に関する。
【背景技術】
【０００２】
従来から、ギター、バイオリンなどの弦楽器の中には、自動演奏するための押弦構造や弾弦構造を備えたものがある（例えば、特許文献１参照）。この弦楽器の押弦装置では、指板の表面側に張設された弦の上面側に円筒ゴムを設置して、その円筒ゴムに指板を貫通する鉄製ワイヤーの一端を接続している。そして、鉄製ワイヤーの他端を接続片やフレキシブルチューブを介してソレノイドアッセンブリのソレノイドに接続している。また、ソレノイドアッセンブリには、鉄製ワイヤー等を介して円筒ゴムを弦から離すように付勢するスプリングが備わっている。このため、ソレノイドに通電することによりスプリングの弾性力に抗して円筒ゴムを指板側に移動させて押弦することができ、ソレノイドへの通電を停止することにより、スプリングの弾性力で円筒ゴムによる押弦を解除することができる。
【特許文献１】特開平７−６４５４３号公報
【発明の開示】
【０００３】
しかしながら、前述した従来の弦楽器の押弦装置では、押弦装置を構成する各部材が、指板の表面側に張設された弦の上面側と楽器本体のネック部の裏面側との双方にわたって配置されているため大型になるとともに、構造が複雑になる。また、ソレノイドが各弦の押弦する位置ごとに必要であるため、ソレノイドの数が多くなってコストが高くなり、装置全体の小型化が困難になる。さらに、円筒ゴムが弦の上面側に設けられているため、自動演奏でなく、弦の上面から指で押弦する通常の演奏はできない。
【０００４】
本発明は、前述した問題に対処するためになされたもので、その目的は、駆動装置の駆動により押弦部材を弦に当接させて弦の振動端点を形成することによって、自動演奏が可能になる小型の弦楽器の押弦構造を提供することである。
【０００５】
前述した目的を達成するため、本発明に係る弦楽器の押弦構造の構成上の特徴は、弦楽器の指板表面側に張設された少なくとも一つの弦を押弦する弦楽器の押弦構造において、楽器の指板表面側から弦に対してそれぞれ進退して弦の複数の異なる位置に当接し、弦の複数の振動端点を形成する複数の押弦部材と、指板の裏面に設けられ、複数の押弦部材を弦に対して進退させる駆動機構とを備えたことにある。
【０００６】
前述のように構成した本発明に係る弦楽器の押弦構造では、押弦部材が弦楽器の指板側から弦に対して進退可能になっており、押弦部材が弦に当接することによって弦の振動端点が形成される。また、押弦部材を弦に対して進退させる駆動機構は指板の裏面に設けられている。このため、押弦構造を構成するすべての部材等が弦よりも弦楽器の指板側に位置するようになり、押弦構造の小型化および構造の簡略化が図れる。また、押弦構造を駆動しない状態では、指板の上面側には弦以外のものが位置しないため弦の上面からの運指や押弦が可能になり、通常の手による演奏ができる。さらに、押弦は自動演奏で行いながら弾弦は演奏者が手で行うこともでき、これによって弦楽器の教習用としての活用も可能になる。また、押弦部材の指板表面側から弦に対する進退は、例えば、指板に挿通穴を設け、この挿通穴に押弦部材の一部を挿通させることによって行うことができる。
【０００７】
また、本発明に係る弦楽器の押弦構造の他の構成上の特徴は、駆動機構を、相対向する２方向へそれぞれ変位部を変位させる複数の駆動装置と、変位部の相対向する２方向への変位を同一の弦の異なる二つの位置に当接する押弦部材にそれぞれ伝達する複数の伝達部材とで構成したことにある。
【０００８】
これによると、一つの駆動装置で１弦の２箇所を押弦可能になるため、押弦構造の簡素化、小型化、軽量化および低コスト化が可能になる。すなわち、弦楽器を演奏する場合、通常１本の弦上で同時に２箇所を押弦することはないため、押弦構造を前述のように構成することが可能になり、一つの駆動装置で１弦の２箇所を押弦できるようにしたことにより、従来の弦楽器の押弦装置に比べて駆動装置の数を半減することができる。この駆動装置を用いることによって、複数の駆動装置を左右前後に連続して並べるのでなく、例えば、左右前後に１個置きに配置することによって、全弦の各部分の押弦が可能になる。
【０００９】
また、本発明に係る弦楽器の押弦構造のさらに他の構成上の特徴は、弦楽器の指板表面側に張設された少なくとも一つの弦を押弦する弦楽器の押弦構造において、同一の弦の異なる二つの位置にそれぞれ当接することによって弦の二つの振動端点を形成する一対の押弦部材と、変位部を相対向する２方向へそれぞれ変位させる駆動装置と、変位部の相対向する２方向への変位を一対の押弦部材にそれぞれ伝達し、一対の押弦部材をそれぞれ独立して弦に当接させる一対の伝達部材とを備えたことにある。
【００１０】
本発明によっても、一つの駆動装置で１弦の２箇所を押弦可能になるため、押弦構造の簡素化、小型化、軽量化および低コスト化が可能になる。この場合、押弦部材が弦楽器の指板側から弦に対して進退するようにしてもよいし、弦の上方から弦に対して進退するようにしてもよい。これによると、押弦部材、駆動装置および伝達部材を任意の位置に配置することができる。
【００１１】
また、本発明に係る弦楽器の押弦構造のさらに他の構成上の特徴は、押弦部材を進退可能に収容するガイド部を指板の裏面側に設けたことにある。これによると、押弦部材がガイド部によってガイドされる方向以外の方向にずれることを規制できるため、移動距離を最小限にするとともに、その移動をスムーズにさせて押弦部材を弦に当接させることができる。
【００１２】
また、本発明に係る弦楽器の押弦構造のさらに他の構成上の特徴は、ガイド部を円筒体で構成して、押弦部材における弦に当接する部分に弦を挟む複数の突部を設けるとともに、ガイド部の内周面と押弦部材の外周面との間に、押弦部材がガイド部の軸方向に移動する際に、押弦部材をガイド部に対して軸周りに回転させる回転移動機構を形成したことにある。
【００１３】
これによると、押弦部材がガイド部の軸方向に移動する際に、回転移動機構の作用によって軸周りに回転する。また、押弦部材における弦に当接する部分には弦を挟むことのできる複数の突部が設けられている。このため、押弦部材が指板側から弦に向って移動すると、弦は複数の突部間に位置するようになり、その状態で押弦部材は軸周りに回転するため、弦は複数の突部に係合する。この結果、指板側からの押弦であっても弦を上方に押し上げることなく確実に弦の振動端点を形成することができる。この場合の回転移動機構は、押弦部材の外周面に略螺旋状に曲がった溝部を形成して、ガイド部の内周面に押弦部材の溝部に対して移動可能に係合する突起を形成するか、または、ガイド部の内周面に略螺旋状に曲がった溝部を形成して、押弦部材の外周面にガイド部の溝部に対して移動可能に係合する突起を形成することにより構成できる。
【発明を実施するための最良の形態】
【００１４】
（第１実施形態）
以下、本発明の第１実施形態を図面を用いて説明する。図１Ａおよび図１Ｂは、同実施形態に係る押弦構造１０を示しており、この押弦構造１０は、本発明の弦楽器としての電子ギター（ネック１１の一部しか図示せず。）に組み込まれている。この電子ギターは、内部に空洞が形成された胴体に、内部に複数の押弦装置２０が収容されたネック１１を結合して構成されており、胴体の上面（以下、胴体におけるサウンドホールが形成されている面側を上方とする。）におけるネック１１側部分からネック１１の上面先端側部分にかけて細長い指板１２が設けられている。
【００１５】
そして、指板１２の上面側に、直径の異なる６本の弦１３が一定間隔を保って張設されている。この６本の弦１３は、指板１２の上面から僅かな間隔を保った状態で、胴体の上面におけるネック１１とは反対側部分に設けられたテイルピースと、ネック１１の先端部との間に張設されている。指板１２の上面には、各弦１３の振動端点を形成するための複数のフレット１４が指板１２の長手方向に所定間隔をおいて設けられている。また、指板１２における各フレット１４の近傍の各弦１３に対応する部分には、それぞれ指板１２の裏面から上面に貫通する挿通孔１５が形成されている。すなわち、指板１２の幅方向に延びる各フレット１４に沿ってそれぞれ６個の挿通孔１５が形成されている。
【００１６】
そして、指板１２の裏面側には、図２Ａないし図２Ｄに示した複数の押弦装置２０が左右前後ともに１個置きに配置されている。この押弦装置２０は、それぞれ図３Ａないし図３Ｃに示したように、本発明の駆動装置としてのソレノイド２１、本発明の伝達部材としての一対の駆動レバー２２、一対の押弦部材２３、一対のガイド部２４およびコイルばねからなる一対の付勢部材２５（図３Ｂの一方の付勢部材２５以外の付勢部材２５は図示を省略している。）を備えている。ソレノイド２１は、円筒形のケース２１ａと、ケース２１ａの両端面からそれぞれ本発明の変位部としての両先端部を突出させた出力軸２１ｂとを備えた双方向型のソレノイドで構成されており、軸方向を指板１２の長手方向に沿わせて配置されている。
【００１７】
このソレノイド２１としては、出力軸２１ｂが軸方向に沿った双方に移動可能であるとともに、出力軸２１ｂを双方向に駆動して出力軸２１ｂの両端部をケース２１ａの両端部からそれぞれ突出させる公知の双方向型のソレノイドを用いることができる。例えば、磁性材料からなるケース２１ａの内側に円筒状のコイルを配置して、ケース２１ａの両端におけるコイルの内側に一対の円筒状の固定鉄心を間隔を保って設ける。一対の固定鉄心間には、軸方向に往復移動可能な円筒状の可動鉄心を設けるとともに、可動鉄心の外周に円筒状の永久磁石を固定して構成されたソレノイドを用いることができる。この場合、永久磁石は、内側がＮ極で外側がＳ極になるように予め磁化されており、これによって可動鉄心の両端部がともにＮ極に磁化されている。また、出力軸２１ｂは可動鉄心を軸線方向に貫通して可動鉄心に固着され、可動鉄心とともに移動する。
【００１８】
このように構成されたソレノイド２１においては、コイルの非通電時には、出力軸２１ｂを軸線方向に駆動することなく、出力軸２１ｂは外力に従った位置に静止する。この実施形態においては、コイルの非通電時には、詳しくは後述する一対の駆動レバー２２を介した一対の付勢部材２５の付勢力によって付勢されて、出力軸２１ｂは中立位置、すなわち出力軸２１ｂの両端をケース２１ａから同一長さだけ突出させた図４（Ａ）の状態に保たれる。一方、コイルを第１方向に通電して一方（図４の右側）の固定鉄心と可動鉄心の一端とを異極にして吸引させるとともに、他方（図４の左側）の固定鉄心と可動鉄心の他端と同極にして反発させることにより、図４（Ｂ）のように、出力軸２１ｂが右側に突出した状態になる。
【００１９】
また、コイルを前と逆の第２方向に通電して他方の固定鉄心と可動鉄心の他端と異極にして吸引させるとともに、一方の固定鉄心と可動鉄心の一端とを同極にして反発させることにより、図４（Ｃ）のように、出力軸２１ｂが左側に突出した状態になる。各ソレノイド２１は、それぞれ固定部材２６を介してネック１１の内壁に固定されている。固定部材２６は、ソレノイド２１を支持する底面部２６ａと、出力軸２１ｂの両端部を外部に突出させた状態でソレノイド２１の両端面と上面とを覆う固定部２６ｂとで構成されており、固定部２６ｂの両端にはそれぞれ外側に向って水平方向に延びる取付片２６ｃが形成されている。
【００２０】
各取付片２６ｃの上面には、支持穴２７ａをそれぞれ備えた一対の軸受け２７がソレノイド２１の軸線方向と直交する方向に所定の間隔を保って設けられている。この一対の軸受け２７には、駆動レバー２２が回転可能に取付けられている。駆動レバー２２は、軸受け２７の支持穴２７ａに支持された回転軸２２ａと、回転軸２２ａの軸方向の中央側部分から固定部２６ｂの一方の端面に沿って上方に延びたのちに固定部２６ｂの上面から他方の端面側に延びる回転部２２ｂと、回転部２２ｂの先端部に形成された平面状の押上部２２ｃとで構成されている。そして、回転部２２ｂの回転軸２２ａ側の垂直部分の下部と押上部２２ｃとの幅は、固定部２６ｂの幅と略等しく、回転部２２ｂのそれ以外の部分の幅は、固定部２６ｂの幅の略半分である。
【００２１】
一対の駆動レバー２２は左右の向きを互いに逆にして、回転部２２ｂの幅の狭い上部側部分を、ソレノイド２１の上方の同一面上に平行に並べた状態でそれぞれ一対の軸受け２７に取り付けられている。このため、ソレノイド２１の出力軸２１ｂが一方側に移動すると、一方側に回転軸２２ａが位置する駆動レバー２２の回転軸２２ａ近傍部分が出力軸２１ｂに押圧されてその駆動レバー２２は回転軸２２ａを中心として、例えば図３Ｂの状態で時計周り方向に回転してその押上部２２ｃが上方に移動する。
【００２２】
また、ソレノイド２１の出力軸２１ｂが他方側に移動すると、他方側に回転軸２２ａが位置する駆動レバー２２の回転軸２２ａ近傍部分が出力軸２１ｂに押圧されてその駆動レバー２２は回転軸２２ａを中心として、反時計周り方向に回転してその押上部２２ｃが上方に移動する。この駆動レバー２２によって、ソレノイド２１の出力軸２１ｂの移動量が拡大されるとともに出力軸２１ｂの水平方向への移動が上下方向への移動に変更されて押上部２２ｃに伝達される。また、ネック１１の内壁における押上部２２ｃの下方部分には、それぞれ矩形のストッパ２８が設けられており、このストッパ２８によって、押上部２２ｃの上下移動の下端位置が規制される。
【００２３】
押弦部材２３は、図５に示したように、円柱状の被ガイド部２３ａと、被ガイド部２３ａの外周面下部側に形成されたフランジ部２３ｂとで構成されている。被ガイド部２３ａの下端面は球面状に形成され、被ガイド部２３ａの上端部は弦１３に当接して振動端点を形成する押弦部２９を構成する。押弦部２９は、前後方向（弦１３と直交する方向）に離間して配置された一対の突部２９ａと、その突部２９ａ間に形成された左右方向（弦１３が延びる方向）に延びる溝部２９ｂとで構成されている。そして、各突部２９ａは平面視が扇形状に形成され、その相対向する面の上部側部分が弦１３を溝部２９ｂ内に導けるように上部側にいくほど互いの間隔が広くなった傾斜面に形成されている。また、溝部２９ｂの下部側部分の幅は弦１３の直径と略等しい長さに形成されている。
【００２４】
また、指板１２の下面における挿通孔１５の周縁部には、それぞれ円筒状のガイド部２４が挿通孔１５と中心軸を合わせて設けられている。押弦部材２３は、上部側部分をガイド部２４内に侵入させた状態で、押上部２２ｃの上面に設置されている。押上部２２ｃの下端部がストッパ２８の上面に位置しているときには、押弦部材２３の上端部は押弦部材２３の自重及び付勢部材２５の付勢力により指板１２の上面と略等しい位置にある。押上部２２ｃが上方に移動すると、押弦部材２３もガイド部２４に沿って押上部２２ｃとともに上昇して、押弦部２９が弦１３に当接する。この場合、弦１３は一対の突部２９ａに挟まれて溝部２９ｂ内に位置する。押弦部２９が弦１３に当接した押弦部材２３と、押弦部２９が弦１３から後退した押弦部材２３とは、それぞれ図１Ｂの中に示されている。なお、押弦部材２３の組み付け時または移動時のガイド部２４に対する回転位置を規制するための位置決め手段を設けておくとよい。
【００２５】
また、被ガイド部２３ａとガイド部２４との外周側における指板１２の下面とフランジ部２３ｂとの間には、付勢部材２５が設けられている。この付勢部材２５は、ソレノイド２１の駆動力よりも小さな力で押弦部材２３を指板１２から下方に付勢している。ソレノイド２１が、その通電により押弦部材２３を上昇させるように駆動すると、付勢部材２５は押弦部材２３の上昇にともなって収縮する。そして、ソレノイド２１による押弦部材２３を上昇させる駆動が停止すると、付勢部材２５は押弦部材２３を下降させる。なお、図示していないが、この電子ギターには、駆動用基板や電源部等、電子ギターを自動演奏するために必要な種々の装置等が備わっている。
【００２６】
つぎに、このように構成した押弦構造１０を作動させる場合について説明する。いずれのソレノイド２１も通電されず、すべての押弦装置２０が作動してない状態では、すべての押弦部材２３の上端は指板１２よりも下方に位置する（図１Ａ参照）。ここで、複数の押弦装置２０のうちの所定の押弦装置２０を作動させて一対の押弦部材２３の一方を上昇させると、図６Ａないし図６Ｃに示したように、一方の押弦部材２３の押弦部２９が弦１３に当接してその当接部分に振動端点が形成される。そして、図示していない弾弦装置により、弦１３の胴体側部分を弾くと、弦１３の種類および弦１３におけるテイルピースと押弦部２９との間の長さに応じた楽音が発生する。この場合、一方の押弦部材２３は付勢部材２５の弾性力に抗して上昇しており、その上限位置は、フランジ部２３ｂがガイド部２４の下面に当接することによって規制される。その後、前記通電を解除すれば、一方の押弦部材２３は、付勢部材２５の弾性力によって下方に変位する。
【００２７】
つぎに、ソレノイド２１に逆方向に通電すると、図７Ａないし図７Ｃに示したように、他方の押弦部材２３が上昇する。これによって、他方の押弦部材２３の押弦部２９が弦１３に当接してその当接部分に振動端点が形成される。そして、図示していない弾弦装置により、このため、弦１３の胴体側部分を弾くと、弦１３の種類および弦１３におけるテイルピースと他方の押弦部材２３の押弦部２９との間の長さに応じた楽音が発生し、この場合の楽音は前述した楽音よりもやや高音になる（テイルピースは、図６および図７の右側に位置している。）。
【００２８】
この場合、他方の押弦部材２３は付勢部材２５の弾性力に抗して上昇しており、その上限位置は、フランジ部２３ｂがガイド部２４の下面に当接することによって規制される。そして、前記逆方向の通電を解除すると、他方の押弦部材２３は、付勢部材２５の付勢力によって下方に変位する。このような押弦が、楽曲のデータに基づいてすべての押弦装置２０によって順次行われ、押弦にともなって弾弦も行うことにより、楽曲の自動演奏が行われる。
【００２９】
また、演奏者による通常の演奏を行う場合には、一方の手の指で順次弦１３を指板１２側に押してその弦１３をフレット１４に当接させていくことにより、順次振動端点を形成する。そして、押弦にともなって他方の手の指で弾弦することにより、所定の楽曲を演奏することができる。この場合、フレット１４の位置と、押弦部材２３の押弦部２９の位置との差のためにピッチ変化が問題となる場合には、自動演奏したのちに通常演奏を行う場合または通常演奏を行ったのちに自動演奏する場合には、各弦１３のピッチの調整を行うとよい。また、前述した説明では、弦１３を押弦装置２０により自動的に押弦した後、図示しない弾弦装置により自動的に弾弦するようにしたが、弾弦に関してはユーザが手動で行ってもよい。
【００３０】
このように、本実施形態に係る押弦構造１０では、ソレノイド２１、駆動レバー２２、押弦部材２３等で構成される押弦装置２０がネック１１の内部における指板１２の裏面側に設置されている。そして、押弦部材２３の上端に形成された押弦部２９だけが指板１２に形成された挿通孔１５から突出して弦１３に当接可能になっている。このため、押弦構造１０を小型化できるとともにその構造の簡略化が図れる。また、指板１２の上面には、複数のフレット１４が設けられ、自動演奏していないときには指板１２の上方には弦１３以外のものはないため、弦１３の上面からの運指や押弦が可能になり、通常の手動による演奏もできる。
【００３１】
また、本実施形態に係る押弦構造１０では、ソレノイド２１として、出力軸２１ｂの両端部がケース２１ａの左右両面から突出した状態で左右に移動可能な双方向型のものを用いるとともに、押弦部材２３を弦１３の異なる二つの位置にそれぞれ当接することによって二つの振動端点を形成できる一対の部材で構成している。そして、駆動レバー２２をソレノイド２１の駆動力を一対の押弦部材２３にそれぞれ伝達して一対の押弦部材２３をそれぞれ独立して弦１３の異なる位置に当接させる一対の部材で構成している。このため、一つのソレノイド２１の駆動力で弦１３の２箇所を押弦することができるようになり、ソレノイド２１の数を半減することができる。この結果、押弦構造１０の簡素化、小型化、軽量化および低コスト化が可能になる。
【００３２】
さらに、本実施形態に係る押弦構造１０では、指板１２の裏面側にガイド部２４を設けて、押弦部材２３の弦１３に対する進退をガイドするようにしている。このため、押弦部材２３がガイド部２４によってガイドされる方向以外の方向にずれることを規制でき、移動距離を最小限にするとともに、その移動をスムーズにさせて押弦部材２３を弦１３に当接させることができる。また、駆動レバー２２は、回転軸２２ａと、固定部２６ｂの両端面と上面とを覆うようにして延びる回転部２２ｂとを備えているため、出力軸２１ｂの移動量を拡大して押上部２２ｃおよび押弦部材２３に伝達することができる。さらに、この駆動レバー２２を用いることによって、押弦構造１０全体をコンパクトにできる。
【００３３】
（変形例）
図８は、前述した第１実施形態に備わった押弦装置２０の変形例による押弦装置３０を示している。この押弦装置３０では、ソレノイド３１は固定部材３６によって指板（図示せず）の裏面に固定されている。固定部材３６は、出力軸３１ｂの両端部を外部に突出させた状態でソレノイド３１の両端面と下面とを覆った固定部３６ｂと、固定部３６ｂの両端からそれぞれ指板の裏面に沿って外側水平方向に延びる取付片３６ｃとで構成されている。そして、図示は省略しているが、固定部３６ｂの両端面の下部側部分にそれぞれ支持穴を備えた一対の軸受けが外側に向って突出しており、この一対の軸受けにそれぞれ駆動レバー３２が回転可能に取付けられている。
【００３４】
駆動レバー３２は、固定部３６ｂの一方の端面の上部側からその端面に沿って下方に延びたのちに固定部３６ｂの下面から他方の端面側に延びる回転部３２ｂと、回転部３２ｂの先端部に形成された平面状の押上部３２ｃと、回転部３２ｂの側部における固定部３６ｂの一方の端面側に形成された回転軸３２ａとで構成されている。そして、駆動レバー３２は、固定部３６ｂにおける回転軸３２ａの上部側部分を出力軸３１ｂの先端部に対向させて回転軸３２ａを中心に回転可能に取付けられている。
【００３５】
また、この押弦装置３０でも、ストッパ（図示せず）は、ネックの内壁における押上部３２ｃの下方部分に設けられており、このストッパによって、押弦部材３３の下限位置が決まる。押弦部材３３が下端位置にある場合には、回転部３２ｂの下部は、図８に示したように傾斜した状態になる。そして、ソレノイド３１の作動により出力軸３１ｂの一方の端部がさらに外部に突出すると、回転部３２ｂの下部は略水平になり、押弦部材３３は押上部３２ｃによって上方に押し上げられる。
【００３６】
また、回転部３２ｂの回転軸３２ａ側の垂直部分の上部と押上部３２ｃとの幅は、固定部３６ｂの幅と略等しくなり、回転部３２ｂのそれ以外の部分の幅は、固定部３６ｂの幅の略半分になっている。そして、一対の駆動レバー３２は左右の向きを互いに逆にして、回転部３２ｂの幅の狭い下部側部分を平行に並べた状態でそれぞれ一対の軸受けに取り付けられている。この押弦装置３０のそれ以外の部分の構成は、前述した押弦装置２０の対応する部分と同一である。この押弦装置３０を用いた押弦構造によると、ソレノイド３１が指板の裏面に固定されているため、指板に対するソレノイド３１の設置精度がよくなる。この押弦装置３０を用いた押弦構造のそれ以外の作用効果は、前述した押弦構造１０の作用効果と同様である。
【００３７】
（第２実施形態）
図９Ａおよび図９Ｂは、本発明の第２実施形態に係る押弦構造が備える押弦部材４３を示しており、図１０Ａおよび図１０Ｂは、その押弦構造が備えるガイド部４４側部分を示している。押弦部材４３の被ガイド部４３ａ外周面には、被ガイド部４３ａの上端部に形成された溝部４９ｂに連なった溝部４１が形成されている。溝部４１は被ガイド部４３ａの外周面における溝部４９ｂの端部から真っ直ぐに下方に向って延びたのちに、フランジ部４３ｂに近づいたところで一方（図９Ａの左側）に曲がりながら下方に延びてフランジ部４３ｂに達している。この溝部４１の上端部と下端部との間の平面視による角度は、略３０度になるように設定されている。
【００３８】
ガイド部４４は、指板４２と一体的に形成された円筒体で構成されており、指板４２の下面から下方に突出している。また、ガイド部４４の内周面４４ａは、指板４２に形成された挿通孔４５に連通しており、その下端部に溝部４１に係合できる突起４６が形成されている。押弦部材４３の溝部４１とガイド部４４の突起４６とで本発明の回転移動機構が構成される。この押弦部材４３およびガイド部４４を備えた押弦構造のそれ以外の部分の構成は、前述した押弦構造１０と同一である。したがって、同一部分に同一符号を記している。
【００３９】
このように構成したため、押弦部材４３を下方に位置させて弦１３に当接させていないときには、図１１Ａないし図１１Ｃに示した状態になる。この場合、押弦部２９の溝部４９ｂは、弦１３の下方で弦１３の延びる方向に位置を合わせた状態になり、溝部４１の上端部も弦１３の下方に位置する。そして、ソレノイド２１の駆動により押弦部材４３を上方に移動させていくと、最初は押弦部材４３は回転することなく真直ぐに上昇していくが、溝部４９ｂの上部側に弦１３が入り込んだころから溝部４１の曲がった部分に突起４６が位置するようになり、押弦部材４３は緩やかに軸周りに回転し始める。
【００４０】
そして、押弦部材４３が上限位置に達して弦１３が溝部４９ｂの下部側に入り込んだときには、図１２Ａないし図１２Ｃに示した状態になる。この場合、押弦部２９の溝部４９ｂの延びる方向は、弦１３の延びる方向に対して平面視で略３０度の角度で傾斜するようになり、これによって弦１３は溝部４９ｂ内でひねられた状態になって押弦部２９に係合する。この結果、弦１３における押弦部２９に係合する部分は上方に押し上げられることなく、その係合部分に振動端点が形成される。
【００４１】
また、その状態から、押弦部材４３が下方に移動する場合には、押弦部材４３は、軸周りに回転しながら下降するため弦１３との係合を徐々に解除していく。そして、溝部４９ｂの延びる方向と、弦１３の延びる方向とが一致したのちには、押弦部材４３は回転することなく真直ぐに下降していく。このように、外周面に溝部４１が形成された押弦部材４３と内周面４４ａに突起４６が形成されたガイド部４４とを備えた押弦構造を用いることにより、指板４２側からの押弦であっても弦１３を上方に押し上げることなく確実に弦の振動端点を形成することができる。
【００４２】
また、本発明に係る弦楽器の押弦構造は、前述した各実施形態に限定するものでなく、適宜、変更して実施することが可能である。例えば、前述した各実施形態では、押弦構造１０等が取り付けられる弦楽器を、電子ギターとしているが、この弦楽器としては、電子ギター以外のものでもよく、バイオリンやチェロ等、押弦と弾弦を行うことにより演奏できる弦楽器であればよい。この場合、使用する弦楽器に応じてフレットは省略することができる。また、前述した実施形態では、駆動装置として、ソレノイドを用いているが、これに代えて、磁歪素子や、モータとカムを備えた駆動装置を用いることもできる。
【００４３】
磁歪素子は、磁気を与えることにより形状が変化する磁歪現象を利用したもので、これによると応答速度が速くなり大きな駆動力を発生することもできる。また、モータとカムを備えた駆動装置では、モータの回転駆動力をカムで上下方向の運動に変更することができる。さらに、前述した第２実施形態では、回転移動機構を、押弦部材４３に設けた溝部４１とガイド部４４に設けた突起４６とで構成しているが、これに代えて、押弦部材４３の被ガイド部４３ａ外周面に突起を設けるとともに、ガイド部４４の内周面４４ａに溝部を設けて回転移動機構を構成することもできる。
【００４４】
また、前述した第１実施形態の押弦装置２０および変形例の押弦装置３０では、自動演奏時に確実に振動端点を形成するために、押弦部２０を、一対の突部２９ａとその突部２９ａ間に形成された溝部２９ｂとで構成しているが、この押弦部の上面を平面で構成してもよい。バイオリンやフレットレスベースなどのようにフレットのない弦楽器においては、指板面と押弦部の上面とがフラットになる構造の方が、手動演奏する場合に好ましい。このように手動での演奏性をより重視する場合は、押弦部の上面を平面にして、押弦部の弦に対する押圧力で振動端点を形成してもよい。
【００４５】
さらに、前述した各実施形態では、指板１２等におけるフレット１４の近傍に挿通孔１５等を設け、挿通孔１５等内に押弦部材２３等を設置しているが、これに代えて、フレットに挿通孔を設けて押弦部の上端部がフレットの一部を構成するようにしてもよい。これによると、自動演奏するときと通常演奏するときの振動端点が一致する。また、弦楽器の押弦構造を構成するそれ以外の部分の構成についても本発明の技術的範囲内で適宜変更して実施することができる。
【図面の簡単な説明】
【００４６】
【図１Ａ】本発明の第１実施形態に係る押弦構造を示す斜視図である。
【図１Ｂ】図１Ａの押弦構造の所定の押弦部材を弦に当接させた状態を示す斜視図である。
【図２Ａ】複数の押弦装置の配置を示す斜視図である。
【図２Ｂ】図２Ａに示した複数の押弦装置の正面図である。
【図２Ｃ】図２Ａに示した複数の押弦装置の平面図である。
【図２Ｄ】図２Ａに示した複数の押弦装置の側面図である。
【図３Ａ】押弦構造を示す斜視図である。
【図３Ｂ】図３Ａに示した押弦構造の正面図である。
【図３Ｃ】図３Ａに示した押弦構造の側面図である。
【図４】(Ａ)〜(Ｃ)は、ソレノイドの駆動状態による出力軸の位置を説明する図である。
【図５】押弦部材を示す斜視図である。
【図６Ａ】押弦装置の一方の押弦部材を弦に当接させた状態の押弦構造を示す斜視図である。
【図６Ｂ】図６Ａに示した押弦構造の正面図である。
【図６Ｃ】図６Ａに示した押弦構造の側面図である。
【図７Ａ】押弦装置の他方の押弦部材を弦に当接させた状態の押弦構造を示す斜視図である。
【図７Ｂ】図７Ａに示した押弦構造の正面図である。
【図７Ｃ】図７Ａに示した押弦構造の側面図である。
【図８】変形例による押弦装置を示す正面図である。
【図９Ａ】本発明の第２実施形態に係る押弦構造が備える押弦部材を示す側面図である。
【図９Ｂ】図９Ａに示した押弦部材の平面図である。
【図１０Ａ】本発明の第２実施形態に係る押弦構造が備える突起の周辺部分を示す平面図である。
【図１０Ｂ】図１０ＡのＡ−Ａ断面図である。
【図１１Ａ】第２実施形態に係る押弦構造が備える押弦部材を下方に位置させた状態を示す斜視図である。
【図１１Ｂ】図１１Ａに示した押弦構造の平面図である。
【図１１Ｃ】図１１Ａに示した押弦構造の側面図である。
【図１２Ａ】第２実施形態に係る押弦構造が備える押弦部材を弦に係合させた状態を示す斜視図である。
【図１２Ｂ】図１２Ａに示した押弦構造の平面図である。
【図１２Ｃ】図１２Ａに示した押弦構造の側面図である。
【符号の説明】
【００４７】
１０…押弦構造、１２，４２…指板、１３…弦、２１，３１…ソレノイド、２１ｂ，３１ｂ…出力軸、２２，３２…駆動レバー、２３，３３，４３…押弦部材、２４，４４…ガイド部、２９…押弦部、２９ａ…突部、４１…溝部、４６…突起。
【図１Ａ】
2009031494.tif 000003
【図１Ｂ】
2009031494.tif 000004
【図２Ａ】
2009031494.tif 000005
【図２Ｂ】
2009031494.tif 000006
【図２Ｃ】
2009031494.tif 000007
【図２Ｄ】
2009031494.tif 000008
【図３Ａ】
2009031494.tif 000009
【図３Ｂ】
2009031494.tif 000010
【図３Ｃ】
2009031494.tif 000011
【図４】
2009031494.tif 000012
【図５】
2009031494.tif 000013
【図６Ａ】
2009031494.tif 000014
【図６Ｂ】
2009031494.tif 000015
【図６Ｃ】
2009031494.tif 000016
【図７Ａ】
2009031494.tif 000017
【図７Ｂ】
2009031494.tif 000018
【図７Ｃ】
2009031494.tif 000019
【図８】
2009031494.tif 000020
【図９Ａ】
2009031494.tif 000021
【図９Ｂ】
2009031494.tif 000022
【図１０Ａ】
2009031494.tif 000023
【図１０Ｂ】
2009031494.tif 000024
【図１１Ａ】
2009031494.tif 000025
【図１１Ｂ】
2009031494.tif 000026
【図１１Ｃ】
2009031494.tif 000027
【図１２Ａ】
2009031494.tif 000028
【図１２Ｂ】
2009031494.tif 000029
【図１２Ｃ】
2009031494.tif 000030